(57)【要約】【課題】  離席の際に、着座体が自ら回動して起立するように構成され、着座体が背凭れに当接する際の衝撃音を低減できると共に、着座体が水平状態から起立状態に移る回動動作を促進でき、生産性の優れた椅子を提供することを目的とする。【解決手段】  着座体５が支軸４を支点として着座位置から背凭れ３に当接する収納位置へと回動する方向に、着座体を付勢するスプリング６と、着座体５の回動動作に抗する反力を加えるシリンダ装置７とを備え、シリンダ装置７は、ピストンロッド１０の先端部が第一の延出部材１２を介して支軸４に接続され、シリンダ８の外端部８ａが着座体５の前方部に接続され、着座体５が着座位置から背凭れ３に向かって回動する際に、着座位置から回動途中の前半までは、外端部８ａからピストンロッド１０の先端部までの長さが除々に短くなり反力の発現を抑え、後半では、この長さが除々に長くなり反力を加える。【選択図】  図１
2005131218.tif 000002
【特許請求の範囲】
【請求項１】
床面に設置された左右一対の側壁を有する椅子本体と、
該椅子本体の後方位置に前記一対の側壁を連結するように立設された背凭れと、
水平に配置され、両端が前記椅子本体の左右の側壁に固定された支軸と、
後方部が該支軸に回動自在に支持され、該支軸を支点として、座面が略水平な着座位置から座面が前記背凭れに当接される収納位置までの間で回動可能な着座体と、
該着座体と前記支軸との間に接続され、前記着座体が前記支軸を支点として前記着座位置から前記収納位置へと回動する方向に、前記着座体を付勢する付勢部材と、
シリンダと、該シリンダ内に摺動可能に設けられ、該シリンダ内を二室に画成するピストンと、該ピストンに設けられ、前記シリンダ内の二室を連通する連通路と、基端側が前記ピストンに連結され、先端側が前記シリンダ外に突出したピストンロッドと、前記ピストンが該ピストンロッド側に摺動する際に前記連通路を介して流れる流体の流動抵抗を大きくし、該ピストンがその反対方向に摺動する際に該流動抵抗を小さくする弁機構と、を備え、前記着座体の回動動作に伴い前記ピストンロッドに軸方向の力を受けて前記着座体の回動に抗する反力を加えるシリンダ装置と、
を備えた椅子であって、
前記支軸に対して、前記着座体が当該支軸を支点として回動する際の座面の回動角度範囲内の略中間の角度方向に突設された第一の延出部材を備え、
前記シリンダ装置は、
前記ピストンロッドの先端部が、前記第一の延出部材の先端に接続され、前記ピストンロッドの先端部とは反対側に位置する前記シリンダの外端部が、前記着座体の前方部に接続されていることを特徴とする椅子。
【請求項２】
前記シリンダ装置は、
前記シリンダ内に充填された流体がオイルである、
ことを特徴とする請求項１に記載の椅子。
【請求項３】
前記第一の延出部材の突設位置から前記支軸の軸方向に離れた位置で、前記支軸に対して、前記着座体の後方側でしかも水平面よりも上方に向けて突設された第二の延出部材を備え、
前記付勢部材は、線材をコイル状に旋回したコイルスプリングからなり、該コイルスプリングの一端が前記着座体の前方部に接続され、該コイルスプリングの他端が前記第二の延出部材の先端に接続されていることを特徴とする請求項１又は請求項２に記載の椅子。
【発明の詳細な説明】
【技術分野】
【０００１】
本発明は、劇場や音楽ホールに用いられ、離席の際に、着座体が水平状態から回動して起立するように構成された椅子に関する。
【背景技術】
【０００２】
従来、劇場ホールや音楽ホールでは、一定の床面積により多くの椅子を配置でき、且つ椅子の前後間を歩行し易いように、着座体の後方側が椅子本体に回動可能に支持され、椅子に着席していないときには、着座体を水平状態から起立させ、椅子の前後の間隔を広げることができるように構成された椅子が用いられている。
【０００３】
例えば、着座体と椅子本体との間にスプリングを介在させ、このスプリングによって、着座体が起立するように付勢力を常時加え、着席している使用者が離席すると同時に、着座体の前方部が跳ね上がって起立するように構成されたものがある。
【０００４】
ところで、前述のようにスプリングを備えた椅子は、使用者が離席の際に、着座体が跳ね上がって背凭れに強く当接し、衝撃音を発生させて使用者に不快感を与える虞がある。そこで、着座体が背凭れに当接する際の衝撃音を低減するために、流体が充填されたシリンダと、シリンダ内を摺動するピストンとを有するシリンダ装置を備え、着座体の回動に伴って、ピストンを摺動してシリンダ内の流体を圧縮又は流動させ、その反力を着座体に伝達し、着座体の回動方向に抗する反力を加えるように構成されたものがある。
【０００５】
また、シリンダ内には空気が充填され、着座体の回動方向に抗する空気の反力がスプリングのバネ圧より大きくなって着座体が回動途中で停止したりすることのないように、ピストンの摺動に伴ってシリンダ内の空気をシリンダの外方に排出する排出機構が備えられたり、着座体の回動速度を除々に減速させるために、シリンダの断面をシリンダの軸方向に沿って変化するように形成されたりしたシリンダ装置が用いられているものがある。（例えば、特許文献１参照）
【特許文献１】特開平９−２７６０６６号公報（第３―５頁、第１―３図）
【発明の開示】
【発明が解決しようとする課題】
【０００６】
従来例のように、スプリングのバネ圧により着座体が自ら回動して起立するように構成され、着座体の回動方向に抗する反力を加えるシリンダ装置を備えた椅子によれば、椅子が長期間使用されてスプリングのバネ圧が低減すると、離席の際に着座体が水平状態から起立状態に移る回動動作が遅れたり、着座体の回動が途中で停止したりして、着席者の迅速な移動が困難になる虞があった。
【０００７】
また、特許文献１に記載された技術のように、シリンダ内に空気を充填し、シリンダの摺動に伴ってシリンダ内の空気をシリンダの外方に排出する排出機構を備えたり、シリンダの断面をシリンダの軸方向に沿って変化するように形成したりしたシリンダ装置を用いるものとすれば、シリンダ装置が特殊なものとなるので、生産性を損なう虞があった。
【０００８】
そこで、本発明は、離席の際に、スプリングのバネ圧により着座体が自ら回動して起立するように構成された椅子において、着座体が背凭れに当接する際の衝撃音を低減すると共に、着座体が水平状態から起立状態に移る回動動作を促進し、且つ、特殊なシリンダ装置を必要とせず、生産性を向上すること目的とする。
【課題を解決するための手段】
【０００９】
かかる目的を達成するためになされた請求項１記載の発明は、床面に設置された左右一対の側壁を有する椅子本体と、該椅子本体の後方位置に前記一対の側壁を連結するように立設された背凭れと、水平に配置され、両端が前記椅子本体の左右の側壁に固定された支軸と、後方部が該支軸に回動自在に支持され、該支軸を支点として、座面が略水平な着座位置から座面が前記背凭れに当接される収納位置までの間で回動可能な着座体と、該着座体と前記支軸との間に接続され、前記着座体が前記支軸を支点として前記着座位置から前記収納位置へと回動する方向に、前記着座体を付勢する付勢部材と、シリンダと、該シリンダ内に摺動可能に設けられ、該シリンダ内を二室に画成するピストンと、該ピストンに設けられ、前記シリンダ内の二室を連通する連通路と、基端側が前記ピストンに連結され、先端側が前記シリンダ外に突出したピストンロッドと、前記ピストンが該ピストンロッド側に摺動する際に前記連通路を介して流れる流体の流動抵抗を大きくし、該ピストンがその反対方向に摺動する際に該流動抵抗を小さくする弁機構と、を備え、前記着座体の回動動作に伴い前記ピストンロッドに軸方向の力を受けて前記着座体の回動に抗する反力を加えるシリンダ装置と、を備えた椅子であって、前記支軸に対して、前記着座体が当該支軸を支点として回動する際の座面の回動角度範囲内の略中間の角度方向に突設された第一の延出部材を備え、前記シリンダ装置は、前記ピストンロッドの先端部が、前記第一の延出部材の先端に接続され、前記ピストンロッドの先端部とは反対側に位置する前記シリンダの外端部が、前記着座体の前方部に接続されていることを特徴とする。
【００１０】
請求項１に記載の椅子によれば、支軸に対して、着座体が支軸を支点として回動する際の座面の回動角度範囲内の略中間の角度方向に突設された第一の延出部材を備え、シリンダ装置は、ピストンロッドの先端部が、第一の延出部材の先端に接続され、ピストンロッドの先端部とは反対側に位置するシリンダの外端部が、着座体の前方部に接続されているので、着座体が着座位置から収納位置に向かって回動する際に、シリンダの外端部が、着座体の回動に伴って着座体と一体となって回動する。そして、この際、着座体が第一の延出部材が突設された角度に至る回動角度範囲では、シリンダの外端部が第一の延出部材の先端に除々に近づく回動軌跡となるので、ピストンロッドの先端部からシリンダの外端部に至る両端間の長さが除々に短くなり、ピストンがピストンロッドの突出方向とは反対方向に摺動し、着座体が第一の延出部材が突設された角度から収納位置に至る回動角度範囲では、シリンダの外端部が第一の延出部材の先端に除々に遠ざかる回動軌跡となるので、ピストンロッドの先端部からシリンダの外端部に至る両端間の長さが除々長くなり、ピストンがピストンロッドの突出方向に摺動する。
【００１１】
そして、シリンダ装置には、ピストンがピストンロッド側に摺動する際に連通路を流れる流体の流動抵抗を大きくし、ピストンがその反対方向に摺動する際に流動抵抗を小さくする弁機構が備えられているので、着座体が着座位置から収納位置に移る回動動作において、第一の延出部材が突設された角度に至る回動角度範囲では、着座体の回動動作に抗する反力の発現を抑え、着座体の回動動作を促進でき、第一の延出部材が突設された角度から収納位置に至る回動角度範囲では、着座体の回動動作に抗する反力を発現させ、着座体の回動速度を緩やかにでき、着座体が背凭れに当接する際の衝撃音を低減し、着座体を背凭れ緩やかに静止できる。
【００１２】
また、請求項１に記載の椅子によれば、着座体が着座位置から収納位置に移る回動動作において、第一の延出部材が突設された角度に至る回動角度範囲までは、着座体の回動動作を促進できるので、例えば、劇場ホールや音楽ホールなどで、着席者が緊急避難を要する際の利便性が優れている。
【００１３】
また、シリンダ内の流体の流動抵抗を調整する弁機構を備えたシリンダ装置は、例えば、回転椅子、ドア、車両等の動作機構を有する分野において、その衝撃を吸収するために広く用いられている。従って、本発明によれば、その分野で使用されているシリンダ装置をそのまま使用できるので、従来の椅子よりも安価に実現できる。
【００１４】
また、請求項１に記載の椅子は、請求項２に記載の発明のように、前記シリンダ内に充填された流体がオイルであれば、気体のように圧縮されて発現するバネ性を持たないので、流体が気体であるよりも、着座体が背凭れに当接する際の着座体の跳ね返りを、一層抑制できる。
【００１５】
次に、請求項３に記載の発明は、請求項１又は請求項２に記載の椅子において、前記第一の延出部材の突設位置から前記支軸の軸方向に離れた位置で、前記支軸に対して、前記着座体の後方側でしかも水平面よりも上方に向けて突設された第二の延出部材を備え、前記付勢部材は、線材をコイル状に旋回したコイルスプリングからなり、該コイルスプリングの一端が前記着座体の前方部に接続され、該コイルスプリングの他端が前記第二の延出部材の先端に接続されていることを特徴とする。
【００１６】
請求項３に記載の椅子によれば、支軸に対して、着座体の後方側でしかも水平面よりも上方に向けて突設された第二の延出部材を備え、付勢部材は、線材をコイル状に旋回したコイルスプリングからなり、コイルスプリングの一端が着座体の前方部に接続され、コイルスプリングの他端が第二の延出部材の他端に接続されているので、着座体には、コイルスプリングの伸縮方向のバネ圧が加えられ、支軸を支点とする回転モーメントが作用する。また、着座体の着座位置よりも収納位置の方が、コイルスプリングの一端から第二の延出部材の先端までの長さが長くなり、コイルスプリングには縮む力が発現し、着座体が収納位置に向かって回動するように、着座体にバネ圧が付勢される。
【００１７】
また、コイルスプリングはシリンダ装置と同様に、一端が着座体の前方部に接続され、他端が第二の延出部材を介して支軸に接続されているので、シリンダ装置の反力とコイルスプリングのバネ圧とのバランスがとり易く、着座体の回動速度を精度良く制御できる。
【発明を実施するための最良の形態】
【００１８】
以下、本発明の実施例を図面と共に説明する。図１（ａ）は本発明が適用された実施例の椅子の構成を表す斜視図、図１（ｂ）は、同実施例の椅子を側面からみた断面図、図２は、同実施例の椅子の、着座体の構成を表す斜視図、図３は、同実施例の椅子の動作説明図、図４は、図３における同実施例の椅子の、着座体の回動動作を表す説明図、図５（ａ）は、同実施例の椅子におけるシリンダ装置の構成を表す断面図、図５（ｂ）は、同シリンダ装置において、ピストンがピストンロッドの突出方向と反対方向に摺動する際の、シリンダ装置の動作を表す図、図５（ｃ）は、同シリンダ装置において、ピストンがピストンロッドの突出方向に摺動する際の、シリンダ装置の動作を表す図、図６は、同実施例の椅子におけるシリンダ装置の、着座体の回動に伴う寸法変化を表す図である。
【００１９】
図１（ａ）、（ｂ）に表したように、椅子１は、床面に設置された左右一対の側壁２ａ、２ｂを有する椅子本体１と、椅子本体１の後方位置に一対の側壁２ａ、２ｂを連結するように立設された背凭れ３と、水平に配置され、両端が椅子本体２の左右の側壁２ａ、２ｂに固定された支軸４と、支軸４を支点として、座面が略水平な着座位置から座面が背凭れ３に当接される収納位置までの間で回動可能な着座体５と、左右の側壁２ａ、２ｂの上方に設置された肘掛け部１４とを備えている。
【００２０】
また、椅子本体２の前方には、前壁２ｃが左右の側壁２ａ、２ｂを連結して備えられている。そして、前壁２ｃの上端２ｄは、着座体５の着座位置において、着座体５の下面５ｃが当接する位置に設けられている。従って、着座体５は、収納位置から着座位置に向かって回動する際に、着座体５の下面５ｃが前壁２ｃの上端２ｄに当接して回動が停止し、着座位置から収納位置に向かって回動する際に、着座体５の座面が背凭れ３に当接して回動が停止する。
【００２１】
次に、図１（ｂ）に表したように、着座体５は、内方が空洞となった枠体と５ａと、枠体５の外周を覆うスポンジ５ｂによって構成されている。
そして、リクライニング椅子１は、枠体５ａの内方に、着座体５と支軸４との間に接続され、着座体５が支軸４を支点として着座位置から収納位置へと回動する方向に、着座体５を付勢するスプリング（所謂、本発明の付勢部材である）６と、着座体５と支軸４との間に連結され、着座体５の回動方向に抗する反力を加えるシリンダ装置７とを備えている。
【００２２】
着座体５は、図２に表したように、枠体５ａの両側壁５ｂ、５ｃの後方側に、支持プレート２０によって軸受け部１８、１９が固定され、軸受け部１８、１９に支軸４が回動自在に係合している。尚、支軸４の両端は、図１に表した椅子本体２の左右の側壁２ａ、２ｂに固定される。
【００２３】
また、枠体５ａの一方の側壁５ｂには、前方側（所謂、着座体５の前方側である。）に、枠体５ａの内方に突出するようにスプリング連結ピン１５が固定され、支軸４の周面には、第二の延出部材１３が固定されている。また、第二の延出部材１３は、図１（ｂ）に表したように、着座体５の後方側でしかも水平面よりも上方に突設している。
【００２４】
スプリング６は、材質がバネ鋼からなる線材をコイル状に旋回したコイルスプリングからなり、コイル状部が一端６ａから他端６ｂ方向に伸縮し、その伸縮方向にバネ圧を発現する。そして、図２に表したように、スプリング６の一端６ａがスプリング連結ピン１５に接続され、スプリング６の他端６ｂが第二の延出部材１３の先端に接続されている。尚、図２は、着座体５が収納位置にあって、この際、スプリング６は縮んでいる。
【００２５】
次に、図３、図４にもとづいて、リクライニング椅子１における着座体５の回動動作を説明する。尚、図４における（ａ）、（ｂ）、（ｃ）、（ｄ）は、図３における着座体５の位置Ｐ１、Ｐ２、Ｐ３、Ｐ４に対応し、（ａ）は着座体５の座面が略水平である着座位置、（ｂ）は（ａ）より略３０°後方側に着座体５が回動した位置、（ｃ）は（ａ）より略６０°後方側に着座体５が回動した位置、（ｄ）は、（ａ）より略９０°後方側に着座体が回動し、着座体５の座面が背凭れ３に当接した収納位置を表している。
【００２６】
スプリング６は、一端６ａがスプリング連結ピン１５に接続されているので、図３、図４に表したように、着座体５が支軸４を支点に、収納位置Ｐ４から着座位置Ｐ１に向かって回動すると、一端６ａが支軸４を支点に着座体５と一体となって回動する。この際、スプリング６の他端６ｂが第二の延出部材１３の他端に接続されているので、着座体５が収納位置Ｐ４から着座位置Ｐ１に向かって回動するに従って、図４の（ｄ）から（ａ）のように、スプリング６の他端６ｂから一端６ａまでの長さＴが除々に長くなり、スプリング６が伸びる。そして、図３における着座体５の着座位置Ｐ１においては、図４の（ａ）のように、スプリング６が伸びているので、スプリング６には縮むようにバネ圧が発現しており、着座体５には、支軸４を支点として収納位置Ｐ４に向かって回動するように、スプリング６によるバネ圧が付勢されることになる。
【００２７】
次に、図２に表したように、枠体５ａの他方の側壁５ｃには、前方側（所謂、着座体５の前方側である。）に、枠体５ａの内方に突出するようにシリンダ連結ピン１６が固定され、支軸４には、第二の延出部材１３の突設位置から支軸４の軸方向に離れた位置で、第一の延出部材１２が固定されている（即ち、第一の延出部材１２の突設位置から支軸４の軸方向に離れた位置で、第二の延出部材１３が固定されている）。また、第一の延出部材１２は、図１（ｂ）に表したように、支軸４に対して、着座体５が支軸４を支点として回動する際の、座面の回動角度範囲内の略中間の角度方向に突設している。
【００２８】
そして、図２に表したように、シリンダ装置７に備えられたピストンロッド１０の先端部１０ｂが、第一の延出部材１２の先端に、ピン１７を介して、図中のＲ２方向に回動自在に接続され、ピストンロッド１０の先端部１０ｂとは反対側に位置するシリンダ８の外端部８ａが、シリンダ連結ピン１６に図中のＲ１方向に回動自在に接続されている。
【００２９】
また、シリンダ装置７は、図５（ａ）に表したように、オイル７ｃが充填されたシリンダ８と、シリンダ８内に摺動可能に設けられ、シリンダ８内を一方の室７ａと他方の室７ｂとの二室に画成するピストン９と、ピストン９に設けられ、シリンダ８内の二室を連通する連通路９ａと、基端側がピストン９に連結され、先端側がシリンダ８外に突出したピストンロッド１０と、ピストン９がピストンロッド１０側に摺動する際に連通路９ａを流れる流体の流動抵抗を大きくし、ピストン９がその反対方向に摺動する際に連通路９ａを介して流れる流体の流動抵抗を小さくする弁機構１１とを備えている。
【００３０】
また、シリンダ８の開口部には、開口部を封入するためのシール材７ｄと、ピストンロッド１０をスライド自在に支持するガイド体７ｅとが、シリンダ８に固定されている。また、シール材７ｄ及びガイド体７ｅにはピストンロッド１０が挿通されている。
【００３１】
また、弁機構１１は、ピストンロッド１０の基端側の径が縮小され、この縮径部に、ピストンロッド１０の軸方向に沿ってスライド自在に、板状のスライド弁１１ａが係合して構成されている。
【００３２】
そして、弁機構１１は、ピストンロッド１０と連通路９ａとの間には、オイル７ｃの流通路となる間隙Ｃが構成され、ピストン９がピストンロッド１０の突出方向に摺動する際には、オイル７ｃの流れに沿って、スライド弁１１ａがピストン９に近接するようにスライドして間隙Ｃが狭くなり、間隙Ｃを介して連通路９ａ流れるオイルの流動抵抗を増加し、一方、ピストン９が前述の反対方向に摺動する際には、オイル７ｃの流れに沿って、スライド弁１１ａがピストンから遠ざかるにようにスライドして間隙Ｃが広くなり、間隙Ｃを介して連通路９ａ流れるオイル７ｃの流動抵抗を減少するように構成されている。
【００３３】
そして、シリンダ装置７は、図５（ｂ）に表したように、ピストンロッド１０を介して外力が加えられ、ピストン９が他方の室７ｂ側から一方の室７ａ側に向けて（図中のＤ方向であって、ピストンロッド１０の突出方向とは反対方向である。）摺動する際には、一方の室７ａが狭くなるので、オイル７ｃが一方の室７ａから連通路９ａを介して他方の室７ｂに流れる（図中のＱ１のように流れる）。そして、この際、オイル７ｃの流力によって、スライド弁１１ａがピストン９から遠ざかるようにスライドし、間隙Ｃ１が広くなって、オイル７ｃの流動抵抗が減少する。
【００３４】
一方、シリンダ装置７は、図５（ｃ）に表したように、ピストン９が一方の室７ａ側から他方の室７ｂ側に向けて（図中のＵ方向であって、ピストンロッド１０の突出方向である。）摺動する際には、他方の室７ｂが狭くなるので、オイル７ｃが他方の室７ｂから連通路９ａを介して一方の室７ａに流れる（図中のＱ２のように流れる）。そして、この際、オイル７ｃの流力によって、スライド弁１１ａがピストン９に近づくようにスライドし、間隙Ｃ２が狭くなって、オイル７ｃの流動抵抗が増加する。
【００３５】
次に、図４、図６にもとづいて、着座体５の回動動作に伴うシリンダ装置７の動作を説明する。尚、図４における（ａ）、（ｂ）、（ｃ）、（ｄ）は、図３における着座体５の位置Ｐ１、Ｐ２、Ｐ３、Ｐ４に対応し、（ａ）は着座体５の座面が略水平である着座位置、（ｂ）は（ａ）より略３０°後方側に回動した位置、（ｃ）は（ａ）より略６０°後方側に回動した位置、（ｄ）は、（ａ）より略９０°後方側に回動し背凭れ３に当接した収納位置を表している。
【００３６】
図４に表したように、シリンダ装置７は、シリンダ８の外端部８ａが、着座体５の前方部にシリンダ連結ピン（図２中の符合１６）を介して接続されているので、着座体５が支軸４を支点に、着座位置（ａ）から収納位置（ｄ）に向かって回動すると、外端部８ａが支軸４を支点に着座体５と一体となって回動する。この際、ピストンロッド１０の先端部１０ｂが第一の延出部材１２の先端に接続されているので、着座体５の回動に従って、シリンダ８の外端部８ａからピストンロッド１０の先端部１０ｂまでの長さＳが変化し、ピストン（図５中の符合９）が摺動する。
【００３７】
この際、着座位置（ａ）から第一の延出部材１２が突設された角度に至る回動角度範囲（（ａ）から（ｂ）と（ｃ）の略中間に至る回動範囲）では、シリンダ８の外端部８ａからピストンロッド１０の先端部１０ｂまでの長さＳが除々に短くなる。そして、第一の延出部材１２とシリンダ装置７が直線状になる位置で、長さＳが最短となる。また、前述の第一の延出部材１２が突設された角度から収納位置（ｄ）に至る回動角度範囲では、着座体５の回動に伴って、シリンダ８の外端部８ａからピストンロッド１０の先端部１０ｂまでの長さＳが除々に長くなる。
【００３８】
前述の着座体５の回動動作に伴う、シリンダ８の外端部８ａからピストンロッド１０の先端部１０ｂまでの長さＳの変化を図６に表した。図６において、横軸は着座体５の着座位置を基準（０°）とする回動角度であって、縦軸は、シリンダ８の外端部８ａからピストンロッド１０の先端部１０ｂまでの長さＳである。
【００３９】
図６に表したように、着座体５の着座位置から回動途中の所定の角度（支持４に対して、第一の延出部材１２が突設された角度である）に至る回動範囲（図中のＤ１の範囲）では、長さＳが除々に短くなり、回動途中の所定の角度から着座体５の収納位置に至る回動範囲（図中のＤ２の範囲）では、長さＳが除々に長くなる。
【００４０】
そして、長さＳが除々に短くなる回動範囲では、図５の（ｂ）に表したように、ピストン９が他方の室７ｂ側から一方の室７ａ側に向けて（図５中のＤ方向であって、ピストンロッド１０の突出方向とは反対方向である。）摺動するので、弁機構１１の作用によって、オイル７ｃの流動抵抗が減少し、着座体５の回動動作に抗する反力が減少し、長さＳが徐々に長くなる回動範囲では、図５の（ｃ）に表したように、弁機構１１の作用によって、オイル７ｃの流動抵抗が増加し、着座体５の回動動作に抗する反力が増加する。
【００４１】
以下に、前記の構成を有する実施例の椅子１の作用効果を記載する。
実施例に記載の椅子１によれば、着座体５が着座位置から収納位置に向かって回動する際に、シリンダ８の外端部８ａが、着座体５の回動に伴って着座体５と一体となって回動する。そして、この際、着座体５の着座位置から、支軸４に対して第一の延出部材１２が突設された角度に至る回動角度範囲では、シリンダ８の外端部８ａが第一の延出部材１２の先端に対して除々に近づく回動軌跡となるので、ピストンロッド１０の先端部１０ｂからシリンダ８の外端部８ａに至る両端間の長さＳが除々に短くなり、ピストン９がピストンロッド１０の突出方向とは反対方向に摺動し、支軸４に対して第一の延出部材１２が突設された角度から着座体５の収納位置に至る回動角度範囲では、シリンダ８の外端部８ａが第一の延出部材１２の先端に対して除々に遠ざかる回動軌跡となるので、ピストンロッド１０の先端部からシリンダ８の外端部８ａに至る両端間の長さＳが除々長くなり、ピストン９がピストンロッド１０の突出方向に摺動する。
【００４２】
そして、シリンダ装置７には、ピストン９がピストンロッド側１０に摺動する際に連通路９ａを流れる流体の流動抵抗を大きくし、ピストン９がその反対方向に摺動する際に流動抵抗を小さくする弁機構１１が備えられているので、着座体５が着座位置から収納位置に移る回動動作において、支軸４に対して第一の延出部材１２が突設された角度に至る回動角度範囲では、着座体５の回動動作に抗する反力の発現を抑え、着座体５の回動動作を促進でき、支軸４に対して第一の延出部材１２が突設された角度から収納位置に至る回動角度範囲では、着座体５の回動動作に抗する反力を発現させ、着座体５の回動速度を緩やかにでき、着座体５が背凭れ３に当接する際の衝撃音を低減し、着座体５を背凭れ３に緩やかに静止できる。
【００４３】
また、実施例に記載の椅子１によれば、着座体５が着座位置から収納位置に移る回動動作において、支軸４に対して第一の延出部材が突設された角度に至る回動角度範囲までは、着座体５の回動動作を促進できるので、例えば、劇場ホールや音楽ホールなどで、着席者が緊急避難を要する際の利便性が優れている。
【００４４】
また、実施例に記載の椅子１によれば、シリンダ８内に充填された流体がオイル７ｃであるので、流体が気体であるよりも、着座体５が背凭れ３に当接する際の着座体５の跳ね返りを、一層抑制できる。
【００４５】
また、実施例に記載の椅子１によれば、支軸４に対して、着座体５の後方側でしかも水平面よりも上方に向けて突設された第二の延出部材１３を備え、スプリング６が、線材をコイル状に旋回したコイルスプリングからなり、コイルスプリングの一端が着座体５の前方部に接続され、コイルスプリングの他端が第二の延出部材１３の先端に接続されているので、着座体５には、コイルスプリングの伸縮方向のバネ圧が加えられ、支軸４を支点とする回転モーメントが作用する。そして、着座体５の着座位置よりも収納位置の方が、コイルスプリングの一端から第二の延出部材１３の先端までの長さＴが長くなり、コイルスプリングには縮む力が発現し、着座体５が起立するように、バネ圧を付勢することができる。
【００４６】
また、実施例に記載の椅子１によれば、コイルスプリングはシリンダ装置７と同様に、一端が着座体５の前方部に接続され、他端が第二の延出部材１３を介して支軸４に接続されているので、シリンダ装置７の反力とコイルスプリングのバネ圧とのバランスがとり易く、着座体５の回動速度を精度良く制御できる。
【００４７】
尚、本発明は、前記の実施例に限定されることなく、種々の態様をとることができる。
例えば、実施例の椅子１には、スプリング６とシリンダ装置７をそれぞれ１個づつ備えたが、複数個備えてもよい。
【００４８】
また、着座体５の前方部に接続するシリンダ８の外端部８ａが、シリンダ８に対して、着脱できるように構成されたものであっても良い。
また、本発明は、劇場ホールや音楽ホールでの使用される椅子に限定されることなく、付勢部材によって着座体が自ら起立するように構成されたものであれば活用できる。
【００４９】
また、シリンダ内で圧縮される流体として、オイルとガスの両者を充填してもよい。
【図面の簡単な説明】
【００５０】
【図１】（ａ）は本発明が適用された実施例の椅子の構成を表す斜視図、（ｂ）は、同実施例の椅子を側面からみた断面図である。
【図２】同実施例の椅子の、着座体の構成を表す斜視図である。
【図３】同実施例の椅子の、動作説明図である。
【図４】同実施例の椅子の、着座体の回動動作を表す説明図である。
【図５】（ａ）は、同実施例の椅子におけるシリンダ装置の構成を表す断面図、（ｂ）は、同シリンダ装置において、ピストンがピストンロッドの突出方向と反対方向に摺動する際の、シリンダ装置の動作を表す図、（ｃ）は、同シリンダ装置において、ピストンがピストンロッドの突出方向に摺動する際の、シリンダ装置の動作を表す図である。
【図６】同実施例の椅子におけるシリンダ装置の、着座体の回動に伴う寸法変化を表す図である。
【符号の説明】
【００５１】
１…椅子、２…椅子本体、２ａ,２ｂ…側壁、２ｃ…前壁、３…背凭れ、４…支軸、５…着座体、５ａ…枠体、５ｂ…スポンジ、６…スプリング、６ａ…一端、６ｂ…他端、７…シリンダ装置、７ａ…一方の室、７ｂ…他方の室、７ｃ…オイル、７ｄ…シール、７ｅ…ガイド体、８…シリンダ、８ａ…外端部、８ｂ…取付孔、９…ピストン、９ａ…連通孔、１０…ピストンロッド、１０ａ…基端部、１０ｂ…先端部、１０ｃ…取付孔、１１…弁機構、１１ａ…スライド弁、１２…第一の延出部材、１３…第二の延出部材、１４…肘掛け部、１５…スプリング連結ピン、１６…シリンダ連結ピン。
【図１】
2005131218.tif 000003
【図２】
2005131218.tif 000004
【図３】
2005131218.tif 000005
【図４】
2005131218.tif 000006
【図５】
2005131218.tif 000007
【図６】
2005131218.tif 000008